(57)【要約】      （修正有）【課題】災害時において、通路や階段の手摺りに沿って発光ダイオードが発光し、その発光ダイオードの発光する方向が避難経路という道しるべとなる避難誘導器具を提供する。【解決手段】発光ダイオード２の発光方向を出口と反対の方向にすることにより、出口に向かう際には、発光ダイオードの指向性の範囲内では、見る人には進行方向が明るく表示され、また、逆に出口から離れる場合は、発光ダイオードの指向性の範囲外となり見る人には明るく表示されないため、逆方向に進むことを阻止する。【選択図】図３
0003117603.tif 000002
【実用新案登録請求の範囲】
【請求項１】
階段や通路の手摺りに沿って、ケーブルに取り付けられた複数個の発光ダイオードと、その発光ダイオードを発光させるための電力を蓄積する蓄電池と、その蓄電池の電力により発光ダイオードを発光させる制御回路とを備え、災害が発生した際、発光ダイオードの発光方向を出口と反対方向に発光させることにより、暗闇でも避難する人が安全に避難できるよう設置された避難誘導装置。
【請求項２】
請求項１に記載する蓄電池は電気二重層コンデンサである。
【請求項３】
請求項１に記載する手摺りには、ケーブルを取り付けるための溝型切り込みがついている。
【請求項４】
請求項１に記載するケーブルはフラットケーブル又はフレキシブル基盤である。
【請求項５】
請求項１に記載する発光ダイオードはチップ型発光ダイオードである。
【請求項６】
請求項５に記載するチップ型発光ダイオードは、人が手摺りに触っても怪我をしないよう手に触れる側のダイオードの端面の形状が丸くなっている。
【請求項７】
請求項１に記載する複数個の発光ダイオードを点滅発光させる場合、同時点滅にする。
【考案の詳細な説明】
【技術分野】
【０００１】本考案は、災害時における通路や階段の手摺りに沿って発光する避難誘導器具に関する。
【背景技術】
【０００２】従来、マンションや病院等、複数の人が出入りする場所で災害が発生し、停電した場合に避難口や避難方向を示す避難誘導装置として、蛍光灯で内照式の避難口誘導灯や通路誘導灯等がある。【０００３】しかしながら、このような避難口誘導灯や通路誘導灯は複数個設置されているにも拘らず、設置されている場所が、避難口の付近や避難口に向かう避難表示として何ヶ所かの場所に設置している場合が多く、普段でも災害時に備え避難口の場所を確認する人はあまりいない。
【考案の開示】
【考案が解決しようとする課題】
【０００４】その為、災害が発生した場合、避難しようとする人は建物の階段や廊下で避難口誘導灯や通路誘導灯を探したり一つずつ確認したりしなければならないという煩わしさがある。【０００５】また、そのような場所を初めて通る人や小さな子供が避難しようとする場合、又は災害により煙が発生した場合、より一層確認が困難である。
【課題を解決するための手段】
【０００６】本考案は、マンションや病院及び地下鉄の駅等、人が複数集まる場所において、階段や通路の手摺りに沿って、ケーブルに取り付けられた複数個の発光ダイオードと、その発光ダイオードを発光させるための電力を蓄積する蓄電池と、その蓄電池の電力により発光ダイオードを発光させる制御回路とを備え、災害が発生した際、発光ダイオードの発光方向を出口と反対方向に発光させることにより、暗闇でも避難する人が安全に避難でき、また、その発光ダイオードの発光する方向が避難経路という道しるべとなり、逆方向への避難を防ぐという避難誘導器具である。
【考案の効果】
【０００７】そもそも発光ダイオードには指向性があり、その指向性の範囲内では明るく見えるが、それ以外では明るく見えないという特徴がある。【０００８】その為、発光ダイオードの発光方向を出口と反対の方向に向けることにより、出口に向かう際に、発光ダイオードの指向性の範囲内では、見る人には進行方向が明るく表示され、また、逆に出口から離れる場合は、発光ダイオードの指向性の範囲外となり見る人には明るく表示されないため、逆方向に進むことを阻止するという効果がある。【０００９】また、避難口誘導灯や通路誘導灯は、現在でも蛍光灯の内照式が多いため、定期的なメンテナンスが必要となる。【００１０】しかしながら、本考案は発光ダイオードを使うことにより、メンテナンスが必要なく、尚且つ蓄電池に電気二重層コンデンサを使用することにより、バッテリーの交換の必要もなくメンテナンスフリーとなる。
【考案を実施するための最良の形態】
【００１１】以下、本考案の実施形態について、図面に基づいて説明する。【００１２】図１は一般的な避難口誘導灯であり、図２も一般的な通路誘導灯である。
【実施例】
【００１３】図３は、階段３を上る方向が避難経路であり、その階段の手摺り１にはケーブル８と発光ダイオード２が取り付けられており、発光ダイオード２は避難経路と逆向きの発光方向ａの方向に発光している。【００１４】図４は、子供が通路４を進み、突き当たりを右折すると出口に向かう建物の概略断面図で、手摺り１に取り付けられた発光ダイオード２は避難経路と逆向きの発光方向ａの方向に発光している。【００１５】避難時は、その発光に沿うように進むことにより、反対方向に避難することを防ぐ効果がある。【００１６】図５の手摺り１には溝型の切り込み５をつけ、その切り込み５にはケーブル８に取り付けられた発光ダイオード２を取り付け、その上から樹脂モールド７で覆うことにより、手摺り１を握ったときの違和感を少なくすることができる。【００１７】また、取り付けるケーブル８はフラットケーブ又はフレキシブル基盤のような平らなものが好ましい。【００１８】実施例に記載する発光ダイオード２はチップ型発光ダイオードのように凸部分が小さいものが好ましい。【００１９】なお、チップ型発光ダイオードを使用する場合、人が触れる側の端面の形状を丸くすることにより、人が手摺りに触っても怪我を防ぐ形状が好ましい。【００２０】さらに、実施例に記載する発光ダイオード２を点滅発光させる場合、発光ダイオードは発光面積が小さいため、単体では点にしか見えない。【００２１】そのため、同時点滅させることにより、避難経路がよりわかりやすくなる。
【図面の簡単な説明】
【００２２】
【図１】一般的な避難口誘導灯のマークである。
【図２】一般的な通路誘導灯のマークである。
【図３】手摺りのついた階段の概略断面側面図である。
【図４】手摺りのついた建物の概略断面平面図である。
【図５】手摺りの概略断面図である。
【符号の説明】
【００２３】１  …手摺り
２  …発光ダイオード
３  …階段
４  …通路
５  …切り込み
６  …取り付け金具
７  …樹脂モールド
８  …ケーブル
ａ  …発光方向
【図１】
0003117603.tif 000003
【図２】
0003117603.tif 000004
【図３】
0003117603.tif 000005
【図４】
0003117603.tif 000006
【図５】
0003117603.tif 000007
【手続補正書】
【提出日】平成17年10月28日(2005.10.28)
【手続補正１】
【補正対象書類名】実用新案登録請求の範囲
【補正対象項目名】請求項２
【補正方法】変更
【補正の内容】
【請求項２】
蓄電池は電気二重層コンデンサである、請求項１に記載の避難誘導装置。
【手続補正２】
【補正対象書類名】実用新案登録請求の範囲
【補正対象項目名】請求項３
【補正方法】変更
【補正の内容】
【請求項３】
手摺りには、ケーブルを取り付けるための溝型切り込みがついている、請求項１に記載の避難誘導装置。
【手続補正３】
【補正対象書類名】実用新案登録請求の範囲
【補正対象項目名】請求項４
【補正方法】変更
【補正の内容】
【請求項４】
ケーブルはフラットケーブル又はフレキシブル基盤である、請求項１に記載の避難誘導装置。
【手続補正４】
【補正対象書類名】実用新案登録請求の範囲
【補正対象項目名】請求項５
【補正方法】変更
【補正の内容】
【請求項５】
発光ダイオードはチップ型発光ダイオードである、請求項１に記載の避難誘導装置。
【手続補正５】
【補正対象書類名】実用新案登録請求の範囲
【補正対象項目名】請求項６
【補正方法】変更
【補正の内容】
【請求項６】
チップ型発光ダイオードは、人が手摺りに触っても怪我をしないよう手に触れる側のダイオードの端面の形状が丸くなっている、請求項５に記載の避難誘導装置。
【手続補正６】
【補正対象書類名】実用新案登録請求の範囲
【補正対象項目名】請求項７
【補正方法】変更
【補正の内容】
【請求項７】
複数個の発光ダイオードを点滅発光させる場合、同時点滅にする、請求項１に記載の避難誘導装置。